(57)【要約】【課題】画像の鮮明化と重量の軽量化とが図れる。【解決手段】映写装置１のスクリーン５を支持した周壁１３が、可動枠７５の裏側から中央開口部９６に収納されることによって、周壁１３の外側面と中央開口部９６の内側面とが互いに接触し、スクリーン支持体１４の前面が、遊技主体収納室９５の裏壁の前面と同一面内に位置され、映写装置１の装置筐体が遊技機枠７１における遊技主体収納室９５の裏壁の裏面に取り付けられ、遊技盤１１０が遊技主体収納室９５に格納されることによって、遊技盤１１０の無色の光透過性合成樹脂からなる板状構造体１１３が映写装置１のスクリーン５の前側に非接触に配置される。【選択図】図１
2005160723.tif 000002
【特許請求の範囲】
【請求項１】
遊技機枠に取り付けられる装置筐体に投影機と反射鏡およびスクリーンからなる複数の構成部品を組み付けた単一構造体として形成された遊技機の映写装置において、遊技機枠が映写装置を取り付けるための前後方向に貫通した中央開口部と中央開口部の周囲における映写装置取付部とを備え、映写装置の装置筐体がスクリーンを支持する前側に突出した周壁を遊技機枠の中央開口部と整合する形状に備えるとともに周壁の周囲に装置取付部を備え、装置筐体の周壁が遊技機枠の裏側から遊技機枠の中央開口部に収納され、装置筐体の装置取付部と遊技機枠の映写装置取付部とが互いに結合されることによって、映写装置が遊技機枠に取り付けられたことを特徴とする遊技機の映写装置。
【請求項２】
映写装置が遊技機枠に取り付けられた場合、スクリーンを周壁の前面に取り付けたスクリーン支持体の前面が遊技機枠の遊技主体収納室の裏壁の前面と同一面内に位置されたことを特徴とする請求項１記載の遊技機の映写装置。
【請求項３】
映写装置の装置取付部がロック挿入孔を備え、遊技機枠の映写装置取付部が回転操作可能なロック操作体を備えたことを特徴とする請求項１記載の遊技機の映写装置。
【請求項４】
遊技機枠の映写装置取付部が台座を備え、映写装置の装置取付部が嵌合部を備え、映写装置が遊技機枠に取り付けられる場合、映写装置取付部の台座と装置取付部の嵌合部とが互いに嵌め込まれたことを特徴とする請求項１記載の遊技機の映写装置。
【請求項５】
装置取付部および映写装置取付部の個数が周壁および中央開口部それぞれの周囲の４隅に個別に設けられた４個であることを特徴とする請求項１記載の遊技機の映写装置。
【発明の詳細な説明】
【技術分野】
【０００１】
本発明は、画像の鮮明化と重量の軽量化とが容易な遊技機の映写装置に関する。
【背景技術】
【０００２】
パチンコ機やスロットマシンなどの遊技機の映写装置は、遊技機枠の下部に液晶表示器を使用したプロジェクターと呼ばれる投影機を配置し、遊技機枠の上部に、反射鏡と、フレネルレンズからなる平板状の視野レンズと呼ばれるスクリーンとを配置し、投影機の投影光源から光を画像の表示されている液晶表示器に照射し、その投影光を投影機の投影レンズで拡大し、その拡大された投影光を反射鏡で前側に反射してスクリーンに上記液晶表示器で表示された画像を拡大して映写する構造である。しかしながら、投影機、反射鏡、スクリーンなど、映写装置を構成する複数の構成部品が、遊技機枠に個別に取り付けられた場合、複数の構成部品相互の位置関係が微妙に狂い、スクリーンに映し出された画像がぼけて品質信頼性に欠けるうえ、遊技機枠の強度を高くしなければならず、遊技機枠の強度を高くすると、全体的な重量が重くなるという欠点がある。
【特許文献１】特開２００３−２２０１９４号公報
【特許文献２】特開平６−３５０６６号公報
【発明の開示】
【発明が解決しようとする課題】
【０００３】
発明が解決しようとする問題点は、投影光源、液晶表示器、反射鏡、スクリーンなど、映写装置を構成する複数の構成部品相互の位置関係が狂いやすく、全体的な重量も重くなるという点である。
【課題を解決するための手段】
【０００４】
本発明に係る遊技機の映写装置は、遊技機枠に取り付けられる装置筐体に投影機と反射鏡およびスクリーンからなる複数の構成部品を組み付けた単一構造体として形成された遊技機の映写装置において、遊技機枠が映写装置を取り付けるための前後方向に貫通した中央開口部と中央開口部の周囲における映写装置取付部とを備え、映写装置の装置筐体がスクリーンを支持する前側に突出した周壁を遊技機枠の中央開口部と整合する形状に備えるとともに周壁の周囲に装置取付部を備え、装置筐体の周壁が遊技機枠の裏側から遊技機枠の中央開口部に収納され、装置筐体の装置取付部と遊技機枠の映写装置取付部とが互いに結合されることによって、映写装置が遊技機枠に取り付けられたことを最も主要な特徴とする。映写装置が遊技機枠に取り付けられた場合、スクリーンを周壁の前面に取り付けたスクリーン支持体の前面が遊技機枠の遊技主体収納室における裏壁の前面と同一面内に位置されたり、映写装置の装置取付部がロック挿入孔を備え、遊技機枠の映写装置取付部が回転操作可能なロック操作体を備えたり、遊技機枠の映写装置取付部が台座を備え、映写装置の装置取付部が嵌合部を備え、映写装置が遊技機枠に取り付けられる場合、映写装置取付部の台座と装置取付部の嵌合部とが互いに嵌め込まれたり、装置取付部および映写装置取付部の個数が周壁および中央開口部それぞれの周囲の４隅に個別に設けられた４個であったりすることも特徴とする。
【発明の効果】
【０００５】
本発明に係る遊技機の映写装置は、装置筐体に投影機と反射鏡およびスクリーンからなる複数の構成部品の組み付けられた単一集合構造体として形成された映写装置が、遊技機枠に取り付けられた場合、映写装置のスクリーンを支持する周壁が遊技機枠の裏側から中央開口部に収納され、周壁の外側面と中央開口部の内側面とが互いに接触することによって、遊技機枠を構成する部材の強度を特別に高くしなくても、遊技機枠の中央開口部の形状が、スクリーンおよび周壁で適切に保持されたので、装置筐体と投影機と反射鏡およびスクリーンからなる単一集合構造体なる映写装置が遊技機枠に取り付けられることによって、大きな中央開口部が形成されても、遊技機枠が撓むことなく、遊技機枠の全体的な強度が高くなるという利点がある。しかも、映写装置が装置筐体に投影機と反射鏡およびスクリーンからなる複数の構成部品の組み付けられた単一集合構造体として形成されているので、映写装置を構成する投影光源と液晶表示器と反射鏡およびスクリーンなど複数の構成部品相互の位置関係が確保され、スクリーンに映し出された画像が鮮明であり、品質信頼性が高いという利点がある。さらに、遊技機枠が中央開口部の周囲に映写装置取付部を備え、映写装置の装置筐体が周壁の周囲に装置取付部を備えているので、映写装置以外に遊技機に必要な複数の構成部品を取り付けるために、映写装置の取り付けられた遊技機枠の周囲を活用することができるという効果がある。映写装置が遊技機枠に取り付けられた場合、スクリーン支持体の前面が遊技主体収納室の裏壁の前面と同一面内に位置されれば、スクリーンが遊技機枠の遊技主体収納室に格納された遊技主体に近づいた配置となり、スクリーンと遊技主体とが前後方向で重なり合った形態となり、スクリーンに映し出された画像が遊技機枠の前側から、一層、鮮明に見えるという利点がある。映写装置の装置取付部がロック挿入孔を備え、遊技機枠の映写装置取付部が回転操作可能なロック操作体を備えていれば、作業者がロック操作体を回転操作することによって、ロック部材がロック挿入孔の周りにおける装置取付部と係合し、映写装置が遊技機枠に容易に取り付けられるという効果がある。遊技機枠の映写装置取付部が台座を備え、映写装置の装置取付部が嵌合部を備え、映写装置が遊技機枠に取り付けられる場合、映写装置取付部の台座と装置取付部の嵌合部とが互いに嵌め込まれれば、映写装置と遊技機枠との位置が正確となるという効果がある。装置取付部および映写装置取付部の個数が周壁および中央開口部それぞれの周囲の４隅に個別に設けられた４個であれば、映写装置と遊技機枠との組立姿勢が安定するという利点もある。
【発明を実施するための最良の形態】
【０００６】
図１−図６は、一実施形態である。図１は、映写装置１の取り付けられた遊技機枠７１と遊技盤１１０との外観を示す。図２は、遊技機の例としてのパチンコ機が、映写装置１と遊技機枠７１と遊技盤１１０とから構成されることを、分解して示す。図３は、映写装置１の前側からの外観を示す。図４は、遊技機枠７１の前側からの外観を示す。図５は、遊技機枠７１の裏側からの外観を示す。図６は、遊技盤１１０の前側からの外観を示す。
【０００７】
図３を参照し、遊技機をパチンコ機とした映写装置１の前側の構造について説明する。映写装置１は、遮光性合成樹脂からなる前側に開放した箱形の装置筐体２に、投影機３、反射鏡４、スクリーン５を組み付けた、ユニットと呼ばれる単一集合構造体として形成される。装置筐体２のスクリーン５を支持する周壁１３には、装置取付部６が、周壁１３から左右外側に突出して設けられる。周壁１３は、図４に示す遊技機枠７１の中央開口部９６と整合する形状である。周壁１３のスクリーン５と接触する前面は、装置取付部６よりも前側に突出する。装置取付部６は、映写装置１を、図４に示す遊技機枠７１の可動枠７５の裏面に、取り付けるための部分である。３個の装置取付部６は、可動枠７５の図５に示す３個の映写装置取付部７９における台座に嵌め込まれる前側に開口した筒状の嵌合部に囲まれた横長なロック挿入孔１９を備える。１個の装置取付部６は、ねじ挿入孔２０を備える。投影機３は、投影機筐体の下部に投影光源７を内蔵し、投影機筐体の上下方向中間部に液晶表示器８を内蔵し、投影機筐体の上部に投影レンズ９を焦点調整可能に備え、投影機筐体の外側に、モータで駆動されるシロコタイプのブロワーファンのような空冷機１０と、液晶表示器８の投影機制御回路２１とを備える。空冷機１０は、投影機筐体の内部を空気で冷却する機器である。
【０００８】
そして、装置筐体２の前側から上内部に収納された反射鏡４が、装置筐体２における上方から下方に行くに従って徐々に前側から裏側に傾斜する前傾姿勢の裏壁に取り付けられる。これによって、反射鏡４が、装置筐体２の上内部に前傾姿勢で取り付けられる。また、投影機３の投影レンズ９が上方で、投影機３の投影光源７が下方となるように、投影機３が、装置筐体２の前側から下内部に収納されて装置筐体２に取り付けられる。投影機３が、装置筐体２に取り付けられた後、遮光性合成樹脂よりなる前被覆体１１が、投影機３の前側を被覆する格好で、装置筐体２の下前部にタッピングスクリューのような止ねじ１２で取り付けられる。その後、スクリーン５が、反射鏡４の取り付けられた部分における装置筐体２の前側開口を覆うように、装置筐体２の周壁１３の前面に、前側から重ね合わされて接触して搭載される。そして、左右のスクリーン支持体１４が、装置筐体２にタッピングスクリューのような止ねじ１５で取り付けられることによって、スクリーン５が、左右のスクリーン支持体１４で装置筐体２の前面に取り付けられる。これによって、スクリーン５が、周壁１３に支持される。
【０００９】
このように、投影機３、反射鏡４、スクリーン５が、装置筐体２に取り付けられた形態において、投影レンズ９の焦点調整が行われる。それには、投影機３の液晶表示器８に直流電源を供給してテスト画像を表示し、投影機３の投影光源７に交流電源を供給する。これによって、投影機３の投影光源７が、光を画像の表示されている液晶表示器８に照射し、その投影光が、投影機３の投影レンズ９で拡大され、その拡大された投影光が、反射鏡４で前側に反射してスクリーン５に上記液晶表示器８で表示されたテスト画像を拡大して映写する。その状態において、例えば、作業者が、手を、前被覆体１１の前側から前被覆体１１の作業開口部１６を経由して装置筐体２の内部に入れて、投影機３の投影レンズ９を回転操作し、上記スクリーン５に映し出されたテスト画像が、焦点の合わされた態様となるように、作業者が、焦点調整を行う。その後、遮光性合成樹脂よりなる蓋体１７が、作業開口部１６を閉鎖するように前被覆体１１に取り付けられる。これによって、箱形の装置筐体２に投影機３と反射鏡４とスクリーン５とを組み付けた単一集合構造体に形成された映写装置１が、図３に示す格好に構成される。
【００１０】
図４を参照し、パチンコ機における映写装置１の取り付けられる遊技機枠７１の前側の構造について説明する。遊技機枠７１は、パチンコ店の島と呼ばれる図外の遊技設置構造体に取り付けるための外枠と呼ばれるような金属製の固定枠７２を備える。固定枠７２は、前後方向に開放された縦長な長方形の空間を囲む額縁形状である。固定枠７２の下部前面に設けられた幕板部７３には、図外の低音用のスピーカーの低音を幕板部７３の裏側から前側に放出する放音孔部７４が、左右に設けられる。放音孔部７４の裏面には、低音用のスピーカーが、個別に取り付けられる。固定枠７２には、前枠または中枠と呼ばれるような可動枠７５が、左側の金属製のヒンジ７６で前側横方向に片開き可能にかつ着脱可能（交換可能）に取り付けられる。可動枠７５は、前後方向に開放された縦長な長方形の空間を囲む額縁形状の合成樹脂からなる可動枠本体７７と、可動枠本体７７から内部に延設された合成樹脂からなる遊技主体収納構造体７８とを備える。可動枠７５が、閉じられた場合、図外のロック機構によって、開閉不能に固定枠７２に支持される。可動枠本体７７には、パネル枠８１および球皿構造体８２が、左側に設けられる図外のヒンジで前側横方向に片開き可能に取り付けられる。パネル枠８１は、前後方向に開放された窓８３を囲む額縁形状である。パネル枠８１の裏面には、ガラスまたは合成樹脂からなる光透過性を有する前面パネル８４が、窓８３を覆う格好で取り付けられる。パネル枠８１の裏面上部には、図外の中・高音用のスピーカーが、左右に取り付けられる。このスピーカーの設けられるパネル枠８１の部分には、中・高音用のスピーカーの中・高音をパネル枠８１の裏側から前側に放出する図外の放音孔部が、設けられる。
【００１１】
パネル枠８１が、閉じられた場合、図外のロック機構によって、開閉不能に、可動枠本体７７に支持される。球皿構造体８２が、閉じられた場合、ロック機構によって、開閉不能に、可動枠本体７７に支持される。可動枠本体７７の右縦片には、施錠装置８６が、設けられる。可動枠７５やパネル枠８１および球皿構造体８２が、閉じられてロック機構で開閉不能に支持された状態において、遊技店の店員が、図外のキープレート（鍵）を遊技機枠７１の前側から施錠装置８６の鍵穴８７に挿入し、当該キープレートを例えば右側に９０度回転操作すると、固定枠７２と可動枠７５とのロック機構による支持形態が解除される。この支持形態の解除後に、店員が、可動枠７５を前側に引くことによって、可動枠７５は、ヒンジ７６を回転中心として前側に片開きされる。また、上記施錠装置８６の鍵穴８７に挿入されたキープレートが、例えば左側に９０度回転操作されると、可動枠７５とパネル枠８１とのロック機構による支持形態が解除される。この支持形態の解除後に、店員が、パネル枠８１を前側に引くことによって、パネル枠８１は、図外のヒンジを回転中心として前側に片開きされる。このように、パネル枠８１が、前側に開かれた状態において、店員が、可動枠７５の前面のロック解除操作体８９を操作すると、可動枠７５と球皿構造体８２とのロック機構による支持形態が解除される。この支持形態の解除後に、店員が、球皿構造体８２を前側に引くことによって、球皿構造体８２は、図外のヒンジを回転中心として前側に片開きされる。球皿構造体８２の前面には、球収納部９０と発射操作機構９１とを備える。球収納部９０は、遊技に使用する球を受ける上方に開放された形態である。球皿構造体８２の裏面には、球を球収納部９０に供給する球取入口９２と、球収納部９０から発射機構１０３に球を供給する球供給口９３とを備える。
【００１２】
遊技主体収納構造体７８は、前側に開放された遊技主体収納室９５と、遊技主体収納室９５の縦壁で前後方向に貫通する中央開口部９６とを備える。中央開口部９６に映写装置１のスクリーン５の取り付けられた周壁１３を収納した場合、中央開口部９６の内周面と周壁１３の外周面とが、互いに接触するように、中央開口部９６は、周壁１３と整合する形状である。遊技主体収納室９５の左側部には、図６に示す遊技盤１１０を裏側から前側に押圧する板ばねにより構成された遊技主体押圧部９７と、遊技主体押圧部９７で前側に押された遊技盤１１０を前側から受け止める遊技主体受部９８とを備える。遊技主体収納室９５の右側部には、遊技主体ロック部材９９を備える。遊技主体ロック部材９９は、遊技主体収納構造体７８から前側に突出する台座の中心にロック操作部１００を回転可能に備える。ロック操作部１００は、台座から前側に突出した操作軸の端部に固定された横長な形態である。
【００１３】
遊技主体収納構造体７８における遊技主体収納室９５よりも下部における前面には、遊技主体棚１０１を備える。遊技主体棚１０１の前面には、発射機構１０３、発射レール１０４、ファール球取入口部１０５、前横樋１０６を備える。発射レール１０４は、球皿構造体８２の球供給口９３から供給された１個の球を受け取る。発射機構１０３は、電力供給と遮断とを交互に受けることによって、球収納部９０から発射レール１０４に供給された１個の球を図６に示す遊技盤１１０の遊技領域１１２に向けて発射する。発射レール１０４は、発射機構１０３から発射された球を、図６に示す遊技盤１１０における発射通路１１５の入口に誘導する。ファール球取入口部１０５は、遊技盤１１０の発射通路１１５から落下する球を取り込む。ファール球取入口部１０５に取り込まれた球は、前横樋１０６を経由して球取入口９２に排出される。前横樋１０６は、可動枠７５の裏部に取り付けられた払出機構１０７から払い出された球を球取入口９２に排出する。
【００１４】
図５を参照し、可動枠７５の裏側の構造について説明する。可動枠７５の裏部、具体的には、遊技主体収納構造体７８の裏面の上部には、タンク１０８と裏横樋１４１と払出機構１０７とが、左右に並べられて取り付けられる。タンク１０８は、遊技設置構造体の補給系統から供給された球を貯蔵し、貯蔵した球を払出機構１０７の球払出動作に伴い裏横樋１４１から払出機構１０７に供給する部品である。遊技主体収納構造体７８の裏面におけるヒンジ７６の側に位置する側部には、払出機構１０７から払い出された球を下方に誘導する縦樋１４２と、縦樋１４２を流下した球を縦方向から遊技主体収納構造体７８の中央側の横方向に向けて誘導する満タン検出装置１４３とが、取り付けられる。満タン検出装置１４３の出口は、前横樋１０６に接続される。
【００１５】
そして、タンク１０８と裏横樋１４１および払出機構１０７に球が、供給されている状態において、払出機構１０７に内蔵されたスプロケットのような払出体１４４が、図外の払出駆動源で駆動されると、払出機構１０７が、賞球または貸球としての球を払い出し、この払出機構１０７から払い出された球は、縦樋１４２と満タン検出装置１４３および前横樋１０６を経由して図４に示す球皿構造体８２の球収納部９０に払い出される。中央開口部９６の周囲には、映写装置取付部７９を備える。３個の映写装置取付部７９は、遊技主体収納室９５の縦壁から裏側に突出する台座の中心にロック操作体８０を回転可能に備える。ロック操作体８０は、台座から裏側に突出した操作軸の端部に固定された横長な形態である。１個の映写装置取付部７９は、遊技主体収納室９５の縦壁から裏側に突出する支柱の中心にねじ取付孔８５を備える。
【００１６】
図６を参照し、遊技機枠７１に交換可能に取り付けられる遊技主体としての遊技盤１１０の構造について説明する。遊技盤１１０は、非遊技領域を形成する遮光性合成樹脂からなる周辺飾り構造体１１１と、周辺飾り構造体１１１で囲まれた内側の遊技領域１１２を形成する光透過性合成樹脂からなる板状構造体１１３とを備える。周辺飾り構造体１１１は、遊技主体収納室９５に格納される方形板状の中央に、前後方向に貫通する丸形開口部１１４と、丸形開口部１１４の左側部に前側開放縦溝形状の発射通路１１５とを備える。発射通路１１５の左側面と当該左側面から右側に弧状に延長する丸形開口部１１４の上部弧状側面とには、ステンレスのような金属帯板状の外バンド１１６が、一連に付設される。
【００１７】
発射通路１１５の右側面および当該右側面から右側に弧状に延長する丸形開口部１１４の下部弧状側面は、発射通路１１５の縦形の底部と丸形開口部１１４より前方に突出する内バンド１１７を形成する。内バンド１１７における下部弧状側面の最下部には、アウト口１１８を囲むとともに球を遊技盤１１０の前側から裏側に排出するハートと呼ばれるアウト口部１１９が、内バンド１１７から内側に突出した格好に連接される。内バンド１１７およびアウト口部１１９は、周辺飾り構造体１１１と一緒に合成樹脂により形成される。よって、発射通路１１５以外における外バンド１１６と内バンド１１７とが、遊技領域１１２を囲む丸形開口部１１４である。アウト口部１１９は、遊技領域１１２の最下部に配置される。発射通路１１５は、発射機構１０３から発射された球を遊技領域１１２に案内する通路である。
【００１８】
発射機構１０３から発射された球を発射通路１１５から遊技領域１１２に放出する発射通路１１５の出口には、戻り球防止弁１２０が、設けられる。戻り球防止弁１２０の取付部は、内バンド１１７の端部に沿うように、周辺飾り構造体１１１に取り付けられる。戻り球防止弁１２０は、外バンド１１６や内バンド１１７よりも厚さの薄い薄帯板状のステンレスまたは合成樹脂により形成される板ばねである。戻り球防止弁１２０が、周辺飾り構造体１１１に取り付けられた場合、戻り球防止弁１２０は、取付部の存在する基部から外バンド１１６の側に位置する先端部に行くに従って、発射通路１１５の出口から遊技領域１１２の側に徐々に傾斜する格好になる。戻り球防止弁１２０の先端は、外バンド１１６の遊技領域１１２の側に位置する内側面に接触するかまたは接触する程度に近づいていればよい。この接触する程度は、戻り球防止弁１２０の先端と外バンド１１６の内側面との間に１個の球の直径よりも小さい隙間が存在し、遊技領域１１２から外バンド１１６の内側面に沿って発射通路１１５の側に逆行する球が、上記戻り球防止弁１２０の先端と外バンド１１６の内側面との間に引っかかることなく通過することもできない範囲であればよい。
【００１９】
そして、発射機構１０３から発射された球が、発射通路１１５から戻り球防止弁１２０を押し開けることによって、戻り球防止弁１２０の先端部が、外バンド１１６から離れるように、戻り球防止弁１２０の取付部を基準として、戻り球防止弁１２０が、全体的に遊技領域１１２の側に弾性変形する。そして、戻り球防止弁１２０を押し開けた球が、戻り球防止弁１２０から遊技領域１１２の側に離れることによって、戻り球防止弁１２０の先端部が、外バンド１１６に近づくように、戻り球防止弁１２０が、全体的に図６に示す形態に復元する。このように戻り球防止弁１２０が、復元した形態において、発射通路１１５から遊技領域１１２に発射された球が、遊技領域１１２から発射通路１１５の側に逆行してきた場合、当該球が、戻り球防止弁１２０に衝突し、戻り球防止弁１２０が、当該球を遊技領域１１２から発射通路１１５に取り込まれることを防止して遊技領域１１２に跳ね返す。
【００２０】
周辺飾り構造体１１１の下縁部には、不正防止バンド１２２が、直線的に取り付けられる。不正防止バンド１２２は、弾性の有る合成樹脂で形成されたものであって、図４に示すパネル枠８１が、閉じられることによって、不正防止バンド１２２が、図４に示す前面パネル８４の内側面（遊技盤１１０の側に位置する面）に接触し、遊技者が、ピアノ線や合成樹脂製薄帯板などの不正操作部材を遊技領域１１２よりも下方の図４に示す遊技機枠７１の前側から遊技機枠７１の前面構成部品間の隙間を経由して遊技領域１１２に挿入しようとした場合、パネルの内側面に接触した不正防止バンド１２２が、不正操作部材を受け止めて不正操作部材の遊技領域１１２への侵入を防止する。
【００２１】
周辺飾り構造体１１１の右側の上下部には、遊技盤１１０を遊技機枠７１に固定するための取付部１２３が、設けられる。取付部１２３は、図４に示す遊技主体収納室９５に設けられた遊技主体ロック部材９９と係合するロック挿入孔１２４を備える。周辺飾り構造体１１１の右側の下部には、証紙台１２６が、前後方向に開閉可能に設けられる。証紙台１２６が、図６に示すように、周辺飾り構造体１１１との連結部である図外のヒンジを回転中心として前方に開かれることによって、下部の取付部１２３が、右周辺飾り構造体１１１の前側から見える格好となる。そして、証紙台１２６が、上記ヒンジを回転中心として後方に閉じられ、証紙台１２６が、証紙台受部１２７で受け止められることによって、取付部１２３が、証紙台１２６で覆われて周辺飾り構造体１１１の前側から見えなくなる。閉じられた証紙台１２６の前面には、遊技盤１１０が、図外の組合の検査に合格して販売の認可を受けたことを示すための証紙が、貼り付けられる。
【００２２】
遊技領域１１２を形成する光透過性合成樹脂からなる板状構造体１１３には、センター飾り１３１、一般入賞部品１３２、作動入賞部品１３３、始動入賞部品１３４、可変入賞部品１３５、遊技釘１３６などの遊技部品が、周辺飾り構造体１１１の発射通路１１５を除く丸形開口部１１４で囲まれた光透過性を有する遊技領域１１２に取り付けられる。一般入賞部品１３２は、球を遊技領域１１２から取り込み、当該取り込んだ球を遊技領域１１２の裏側に排出する、取込形である。一般入賞部品１３２の内部には、図外の一般入賞球検出器を備える。作動入賞部品１３３は、球を遊技領域１１２から取り込み、当該取り込んだ球を遊技領域１１２の裏側に取り込むことなく、遊技領域１１２に排出する、通過形である。作動入賞部品１３３の内部には、図外の作動入賞球検出器を備える。始動入賞部品１３４は、一対の羽根１３７の下部を回転中心とし、一対の羽根１３７を図外の始動駆動源で左右方向に開閉する電動チューリップと呼ばれる構造である。始動入賞部品１３４は、球を遊技領域１１２から取り込み、当該取り込んだ球を遊技領域１１２の裏側に排出する、取込形である。
【００２３】
始動入賞部品１３４の左右一対の羽根１３７は、閉じた場合でも、球を受け入れ得る形態、受け入れない形態のいずれでも適用できる。始動入賞部品１３４の内部には、図外の始動入賞球検出器を備える。可変入賞部品１３５は、横長な長方形状の開閉体１３８の下部を回転中心とし、開閉体１３８を図外の可変駆動源で前後方向に開閉するアタッカーまたは大入賞口と呼ばれる構造である。可変入賞部品１３５の開閉体１３８で閉じたり開かれたりする空洞形状の球受入部の内部には、カウントスイッチと呼ばれる図外の普通入賞球検出器と、Ｖスイッチと呼ばれる図外の特定入賞球検出器とを備える。可変入賞部品１３５の球受入部に取り込まれた球は、普通入賞球検出器または特定入賞球検出器を通過した後に遊技盤１１０の裏側に排出される。よって、可変入賞部品１３５は、取込型である。遊技盤１１０の裏面には、一般入賞部品１３２、始動入賞部品１３４、可変入賞部品１３５、アウト口１１８から遊技盤１１０の裏側に排出された球を下方に誘導して排出する集合樋１３９が、設けられる。
【００２４】
図１を参照し、映写装置１と遊技機枠７１とが、互いに組み立てられた構造について説明する。映写装置１の周壁１３が、可動枠７５の裏側から中央開口部９６に収納されることによって、周壁１３の外側面と中央開口部９６の内側面とが、互いに接触し、映写装置１のスクリーン支持体１４とスクリーン５とが、中央開口部９６の内部に配置され、スクリーン支持体１４の前面が、遊技主体収納室９５の裏壁の前面と同一面内に位置される。そして、図３に示す映写装置１の装置取付部６のロック挿入孔１９が、図５に示す可動枠７５の裏側から映写装置取付部７９のロック操作体８０に挿入され、ロック操作体８０が、ロック挿入孔１９から裏側に突出した状態において、作業者が、ロック操作体８０を例えば右方向に９０度回転操作すると、ロック操作体８０が、ロック挿入孔１９の周りにおける装置取付部６と係合する、また、図外のタッピングスクリューのような止ねじが、図３に示す映写装置１のねじ挿入孔２０から図５に示す可動枠７５のねじ取付孔８５に締結される。これによって、映写装置１が、遊技主体収納構造体７８の裏面に取り付けられる。つまり、映写装置１が、可動枠７５に取り付けられる。
【００２５】
また、遊技盤１１０の遊技領域１１２が、前側に向けられ、遊技盤１１０が、遊技機枠７１の前側から遊技主体収納室９５に挿入され、遊技盤１１０の下部が、遊技主体棚１０１の上に載せられ、遊技盤１１０の左側部が、遊技主体受部９８と遊技主体押圧部９７とで前後方向から挟まれた後、遊技盤１１０の右側部が、後側に押され、遊技主体ロック部材９９のロック操作部１００が、取付部１２３のロック挿入孔１２４に後側から挿入されて前側に突出した状態において、作業者が、ロック操作部１００を例えば右方向に９０度回転操作すると、ロック操作部１００が、ロック挿入孔１２４の周りにおける取付部１２３と係合し、遊技盤１１０が、可動枠７５に取り付けられる。遊技盤１１０が、取り付けられた後、可動枠７５が、閉じられ、球皿構造体８２が、閉じられる。
【００２６】
これによって、映写装置１のスクリーン５の前側に遊技盤１１０の無色の光透過性合成樹脂からなる板状構造体１１３が、非接触に配置される。そして、遊技盤１１０の板状構造体１１３から前側に突出した図６に示すセンター飾り１３１と一般入賞部品１３２と作動入賞部品１３３と始動入賞部品１３４と可変入賞部品１３５および遊技釘１３６などの遊技部品が、スクリーン５の前側に配置され、遊技盤１１０の丸形開口部１１４が、スクリーン５の前側に対向して配置される。そして、図３に示す投影機３の液晶表示器８が、電気的に画像を表示し、投影機３の投影光源７が、電気的に光を画像の表示されている液晶表示器８に照射し、その投影光が、投影機３の投影レンズ９で拡大され、その拡大された投影光が、反射鏡４で前側に反射してスクリーン５の全域に上記液晶表示器８で表示された画像を拡大して映写し、遊技機枠７１の前側から遊技者が、スクリーン５に映し出された画像を閉じられたパネル枠８１の前面パネル８４と遊技盤１１０の丸形開口部１１４および光透過性合成樹脂からなる板状構造体１１３を通して見ることをできる。
【００２７】
また、遊技者が、図４に示す球皿構造体８２の球収納部９０に球を入れ、発射操作機構９１および電気系統が、電気的に起動した状態において、人が、発射操作機構９１を操作すると、発射機構１０３が、発射操作機構９１から出力された操作量に応じた発射力で例えば１分間に１から１００発未満までの所定数の間隔で駆動し、この発射機構１０３が、球収納部９０から発射レール１０４に供給された球を１個ずつ図６に示す遊技盤１１０の発射通路１１５に向けて発射する。この発射通路１１５に発射された球が、発射通路１１５から戻り球防止弁１２０を押し開けて遊技領域１１２に到達した後に遊技領域１１２を流下する過程において、一般入賞部品１３２や始動入賞部品１３４あるいは可変入賞部品１３５に入賞すると、一般入賞部品１３２や始動入賞部品１３４あるいは可変入賞部品１３５に入賞した球が、遊技盤１１０の裏側に排出される一方、それぞれの入賞に対応する賞球としての球が、払出機構１０７から球収納部９０に払い出される。一般入賞部品１３２や始動入賞部品１３４あるいは可変入賞部品１３５に入賞しないで遊技領域１１２の最下部に流れた球は、アウト口１１８に取り込まれた遊技盤１１０の裏側に排出される。これによって、遊技者は、スクリーン５に映し出された画像を遊技領域１１２の全域に見ながら遊技領域１１２に行き交う球の動きを見ることができる。
【００２８】
実施形態の構造によれば、遊技機枠７１が映写装置１を取り付けるための前後方向に貫通した中央開口部９６を備え、映写装置１の装置筐体２がスクリーンを支持する前側に突出した周壁１３を中央開口部９６と整合する形状に備えているので、映写装置１が、可動枠７５に取り付けられることによって、映写装置１のスクリーン５を支持する周壁１３が、可動枠７５の裏側から中央開口部９６に収納され、周壁１３の外側面と中央開口部９６の内側面とが、互いに接触している。したがって、遊技機枠７１を構成する部材の強度を特別に高くしなくても、遊技機枠７１の中央開口部９６の形状が、スクリーン５および周壁１３で適切に保持されるので、装置筐体２と投影機３と反射鏡４およびスクリーン５からなる単一集合構造体なる映写装置１が、遊技機枠７１に取り付けられることによって、大きな中央開口部９６の形成された可動枠７５が、撓むことがなく、遊技機枠７１の全体的な強度が、高くなるという利点がある。単一集合構造体として形成された映写装置１が、遊技機枠７１に取り付けられた場合、映写装置１を構成する、投影光源７と液晶表示器８と反射鏡４およびスクリーン５など複数の構成部品相互の位置関係が確保され、スクリーン５に映し出された画像が鮮明であり、品質信頼性が高いという利点がある。
【００２９】
映写装置１が、遊技機枠７１に取り付けられた場合、スクリーン支持体１４の前面が、遊技主体収納室９５の裏壁の前面と同一面内に位置されるので、スクリーン５が、遊技機枠７１の遊技主体収納室９５に格納された遊技盤１１０に近づいた配置となり、スクリーン支持体１４の前壁の厚さや遊技主体収納室９５の裏壁の厚さにもよるが、スクリーン５と遊技盤１１０とが、前後方向で重なり合った形態となり、スクリーン５に映し出された画像が、遊技機枠７１の前側から前面パネル８４および遊技領域１１２を通して、一層、鮮明に見えるという利点がある。
【００３０】
遊技機枠７１が、中央開口部９６の周囲に映写装置取付部７９を備え、映写装置１の装置筐体２が、周壁１３の周囲に装置取付部６を備えているので、払出機構１０７、タンク１０８、裏横樋１４１、縦樋１４２、満タン検出装置１４３など、遊技機に必要な複数の構成部品を取り付けるために、映写装置１の取り付けられた遊技機枠７１の周囲を活用することができるという効果がある。映写装置１の装置取付部６が、ロック挿入孔１９を備え、遊技機枠７１の映写装置取付部７９が、回転操作可能なロック操作体８０を備えているので、作業者が、ロック操作体８０を回転操作することによって、ロック操作体８０が、ロック挿入孔１９の周りにおける装置取付部６と係合し、映写装置１が遊技主体収納構造体７８の裏面に容易に取り付けられるという効果がある。装置取付部６が、遊技機枠７１の映写装置取付部７９における台座に嵌め込まれる前側に開口した筒状の嵌合部を備えているので、装置取付部６の嵌合部と映写装置取付部７９の台座とが互いに嵌め合わされることによって、映写装置１と遊技機枠７１との位置が正確となるという効果がある。装置取付部６および映写装置取付部７９の個数は、４個に限定されるものではないが、実施形態のように、周壁１３および中央開口部９６それぞれの周囲の４隅に個別に設けられた４個であれば、映写装置１と遊技機枠７１との組立姿勢が安定するという利点がある。
【産業上の利用可能性】
【００３１】
装置取付部６の全部にロック挿入孔１９を形成し、映写装置取付部７９の全部にロック操作体８０を設ければ、映写装置１を遊技機枠７１に取り付ける場合、ドライバーのような工具が不要となる。装置取付部６の全部にねじ挿入孔２０を形成し、映写装置取付部７９の全部にねじ取付孔８５を設けてもよい。
【図面の簡単な説明】
【００３２】
【図１】映写装置と遊技機枠と遊技盤とを示す斜視図（一実施形態）。
【図２】パチンコ機を示す分解斜視図（一実施形態）。
【図３】映写装置を前側から示す斜視図（一実施形態）。
【図４】遊技機枠を前側から示す斜視図（一実施形態）。
【図５】遊技機枠を裏側から示す斜視図（一実施形態）。
【図６】遊技盤を前側から示す斜視図（一実施形態）。
【符号の説明】
【００３３】
１  映写装置
５  スクリーン
１３  周壁
７１  遊技機枠
９６  中央開口部
【図１】
2005160723.tif 000003
【図２】
2005160723.tif 000004
【図３】
2005160723.tif 000005
【図４】
2005160723.tif 000006
【図５】
2005160723.tif 000007
【図６】
2005160723.tif 000008